(57)【特許請求の範囲】
【請求項１】
被加工物へ向けてレーザ光を照射すると共にアシストガスを噴射するノズル及びそのノズルの周囲に配設され下端面が前記被加工物の上面に当接可能に構成される筒状の押え部を有する加工ヘッドと、その加工ヘッドの押え部の下端面に対向して前記被加工物の下面に配設されると共に前記押え部の下端面との間で前記被加工物を挟持する加工台部とを備えるレーザ加工機において、
前記ノズルの外周上部および前記押え部の上端側を連結する連結部と、
その連結部に形成されると共に、前記被加工物に噴射されたアシストガスを前記被加工物と前記押え部とに囲まれた空間の外側に排出する排出孔とを備え、
前記押え部は、前記ノズル側に張り出して形成される張出部と、その張出部の下面側に保持され前記被加工物との摩擦抵抗を低減する摩擦低減部材と、前記張出部に形成され外部から供給される圧縮空気を前記摩擦低減部材へ導入するエア導入部と、を備え、そのエア導入部に前記圧縮空気を導入することで前記摩擦低減部材と前記被加工物との間に空気膜を形成可能に構成され、
前記排出孔は、前記連結部の上面側に位置し上方へ向けて開口する第１孔部と、
その第１孔部に連通されつつ前記連結部の下面側に凹設され、内側縁部が前記張出部の上端の内側縁部より前記ノズル側に形成される第２孔部とを備え、
前記張出部は、前記第２孔部の外側縁部よりも前記ノズル側へ張り出して形成され、前記被加工物と前記押え部とに囲まれた空間に噴射されたアシストガスを、前記張出部の上面と前記排出孔とにより形成された隙間を通って外部へ排出可能に構成されていることを特徴とするレーザ加工機。
【請求項２】
前記第１孔部は、前記連結部に複数個が形成され、
前記第２孔部は、前記連結部に環状に凹設されていることを特徴とする請求項１記載のレーザ加工機。
【発明の詳細な説明】
【技術分野】
【０００１】
本発明はレーザ加工機に関し、特に、被加工物の切断加工初期においても、安定して微細かつ高精度の切断加工が可能なレーザ加工機に関するものである。
【背景技術】
【０００２】
金属薄板からなる被加工物に微細な加工を行う場合、レーザ加工機が使用される。レーザ加工機は、被加工物をＸＹ方向へ移動させつつ、集光したレーザ光を加工ヘッドから照射することで被加工物を切断する。レーザ光による切断加工は、入熱による被加工物の溶融を利用したものであるため、溶融物が凝集して再凝固し、ドロスとして被加工物の切断部に付着する。そこで、通常、加工ヘッドのノズルからレーザ光と同軸にアシストガスを噴射し、生じた溶融物を吹き飛ばして、切断部にドロスが付着することを抑制している。
【０００３】
このようなレーザ加工機では、アシストガスの噴射圧力によって被加工物が撓み易く、被加工物が撓むと、レーザ光の焦点とずれて集光径が大きくなるため、微細かつ高精度の加工ができなくなる。
【０００４】
これを防止するため、加工ヘッドのノズルの周囲に配設される筒状の上部被加工物押え部材（押え部）と、ノズルの中心位置に対応する位置に配設される下部固定定盤（加工台部）とを備えるレーザ加工機が知られている（特許文献１）。特許文献１に開示される技術では、加工ヘッドは、被加工物の表面でレーザ光が焦点を結ぶように調整されている。また、押え部の下端面を焦点と同一平面上に位置させるため、押え部は上下動可能に構成されている。これにより、押え部の下端面と加工台部との間に被加工物を挟み込むことで、アシストガスが噴射されても被加工物を撓み難くすることができ、さらにレーザ光の焦点を被加工物に合わせて、微細かつ高精度の加工が可能となる。
【０００５】
ここで、特許文献１に開示される技術では、ノズルの周囲に配設された押え部の下端面が被加工物に当接しているため、ノズルから被加工物に吹き付けられたアシストガスが、被加工物と押え部との間に形成される空間内に滞留する。被加工物の切断加工開始前や切断加工初期などには、滞留したアシストガスによってこの空間内の圧力が高まり易い。空間内のアシストガスの圧力が高まると、被加工物を押さえ込んでいる押え部が被加工物を押し下げる力が低下するという問題が生ずる。押え部が被加工物を押し下げる力が低下すると、押え部と加工台部とによる被加工物の挟み込みが不安定となるため、加工位置にてレーザ光の集光径が変化し、微細かつ高精度の加工ができなくなる。
【０００６】
そこで、特許文献１に開示される技術では、押え部の下端面に開放するスリットが、押え部の円筒部分に複数個形成されている。これにより、ノズルから被加工物に吹き付けられたアシストガスはスリットから押え部の外部に排出されるので、押え部内の圧力が高まることが防止され、押え部が被加工物を押し下げる力が低下することを防止できる。
【先行技術文献】
【特許文献】
【０００７】
【特許文献１】特開平１０−３２８８６７号公報（図１、図２など）
【発明の概要】
【発明が解決しようとする課題】
【０００８】
ここで、特許文献１に開示される技術では、スリットの幅を広げたりスリットの数を増やしたりすれば、スリットの開口面積を広げることができ、スリットからのアシストガスの十分な排出量を確保することができる。その結果、アシストガスの圧力が高くなっても押え部内の圧力が高まることが防止される。
【０００９】
しかしながら、スリットの幅を広げたりスリットの数を増やしたりすると、被加工物に当接する押え部の下端面の面積が狭くなり、加工台部との間で被加工物を安定に挟み込むことが難しくなる。そのため、スリットの幅をむやみに広げたり数を増やしたりすることができず、アシストガスの十分な排出量を確保できないという問題点があった。
【００１０】
さらに、押え部の下端面と被加工物との間に空気膜（エアベアリング）を形成することにより、押え部に対して被加工物をほぼ非接触で運動させることが可能なレーザ加工機がある。このレーザ加工機においては、空気膜を形成する空気膜形成機構が押え部に配設されているため、その機構の配設位置を避けてスリットを形成する必要がある。そのため、スリットの開口面積を狭くせざるを得なくなり、この場合もアシストガスの十分な排出量を確保できないという問題点があった。このため、アシストガスの圧力が高くなると、被加工物の切断加工開始前や切断加工初期に押え部が被加工物を押し下げる力が低下し、微細かつ高精度の切断加工ができなくなるという問題点があった。
【００１１】
本発明は上述した問題点を解決するためになされたものであり、切断加工初期においても、安定して微細かつ高精度の切断加工ができるレーザ加工機を提供することを目的とする。
【課題を解決するための手段および発明の効果】
【００１２】
この目的を達成するために、請求項１記載のレーザ加工機によれば、排出孔は、ノズルの外周上部および押え部の上端側を連結する連結部に形成されているので、押え部の構造等に制約を受けることなく排出孔を形成できる。これにより、排出孔からのアシストガスの排出量を十分に確保することができ、被加工物の切断加工初期においても、安定して微細かつ高精度の切断加工を可能にできる効果がある。
また、被加工物との摩擦抵抗を低減する摩擦低減部材を下端面に保持する張出部がノズル側に張り出して形成されているので、押え部の外側に張出部を張り出させるものと比較して、押え部の外径を小さくすることができ、押え部をコンパクト化できる。
【００１３】
また、排出孔は、張出部の上端の内側縁部よりノズル側に内側縁部が形成されると共に、連結部の下面側に凹設される第２孔部と、連結部の上面側に位置し第２孔部と連通して形成される第１孔部とを備えているので、ノズルの外周近傍に第２孔部の内側縁部を位置させることで、張出部に遮られることなくアシストガスを第２孔部に導き、第１孔部から排出させることができる。これにより、排出孔からのアシストガスの排出量を確保しつつ、押え部をコンパクト化できる効果がある。
【００１４】
請求項２記載のレーザ加工機によれば、第２孔部を連結部に環状に凹設すると共に、第２孔部に連通する第１孔部を連結部に貫穿することで、排出孔を容易に形成できる。また、第２孔部が環状に凹設されているので、張出部の上端の内側縁部との隙間を十分確保でき、アシストガスが排出される流路の断面積を確保できる。よって、請求項１記載のレーザ加工機の奏する効果に加え、排出孔の形成を容易化できると共に、張出部に遮られることなくアシストガスの流路を確保できる効果がある。
【図面の簡単な説明】
【００１５】
【図１】本発明の一実施の形態におけるレーザ加工機の一部を切断して示した部分断面図である。
【図２】図１のＩＩで示す部分を拡大して示した連結部および張出部の部分拡大断面図である。
【図３】（ａ）は連結部およびその連結部に立設される筒部の一部を切断して示した部分断面図であり、（ｂ）は連結部の底面図である。
【発明を実施するための形態】
【００１６】
以下、本発明の好ましい実施の形態について、添付図面を参照して説明する。まず、図１を参照して、レーザ加工機１の概略構成を説明する。図１は本発明の一実施の形態におけるレーザ加工機１の一部を切断して示した部分断面図である。レーザ加工機１は、金属薄板からなる被加工物Ｗを切断加工する機械であり、図１に示すように、加工ヘッド１０と、加工台部２０と、加工台支持部３０とを主に備えている。なお、図１では、被加工物Ｗを保持しＸＹ方向へ変位させるための変位機構部などの図示が省略されている。
【００１７】
加工ヘッド１０は、図１に示すように、筒状に形成され、被加工物Ｗを上方から支持すると共に、レーザ光を照射することにより被加工物Ｗを切断する装置であり、上方からレーザ光が導入されるヘッド本体１１と、ヘッド本体１１内に配設される凸レンズである集光レンズ（図示せず）と、ヘッド本体１１の側壁に貫通形成される貫通孔として構成され、ガス発生装置（図示せず）から供給される酸素や窒素などからなるアシストガスを加工ヘッド１１内へ導入するアシストガス導入孔１１ａと、集光レンズ（図示せず）と同軸に設けられ小径側を被加工物Ｗに向けて配設される円錐筒状のノズル１２とを主に備えている。
【００１８】
なお、加工ヘッド１０は、加工台部２０に対して上下方向に移動可能に構成されており、変位機構部（図示せず）に被加工物Ｗを固定するときには、その邪魔にならないように加工ヘッド１０を上昇させ、被加工物Ｗを固定した後に加工ヘッド１０を加工位置まで下降させる。そして、レーザ光を被加工物Ｗに照射すると共に、ノズル１２からアシストガスを高圧で噴射することで、被加工物Ｗの切断時に生じる溶融物を吹き飛ばし、被加工物Ｗの切断部にドロスが付着することを抑制する。
【００１９】
筒部１３は、円筒状に形成され、ヘッド本体１１の下端部に螺挿されている。筒部１３の上端側の外周面とヘッド本体１１の内周面との間にはＯリング１３ａが介装されており、ヘッド本体１１と筒部１３との気密性が保持されている。ロック部材１４は、環状に形成される部材であり、筒部１３の外周面に螺嵌され、上面はヘッド本体１１の下面に当接可能に構成されている。筒部１３の回動により筒部１３はヘッド本体１１に沿って上下動することができ、筒部１３を所定の位置に移動させた後、ロック部材１４の上面でヘッド本体１１の下面を押圧するようにロック部材１４を締結することで、筒部１３をヘッド本体１１に固定できる。これにより、筒部１３のヘッド本体１１からの突き出し長さを調整できる。
【００２０】
連結部１５は、筒部１３と一体に形成される環状の部位であり、上面に筒部１３が立設されている。連結部１５は、筒部１３の内周側および外周側に各々張り出して形成されており、外周側に張り出した部位には排出孔１６が貫通形成されている。排出孔１６の詳細については後述する。連結部１５の内側縁部にはノズル１２の外周上部が螺着されており、連結部１５の外側縁部には環状に形成されるリング部材１７が排出孔１６を避けて被嵌されている。
【００２１】
押え部１８は、ノズル１２の周囲に配設される略円筒状の部位であり、リング部材１７の外周面に上端側が螺着される壁部１８ａと、その壁部１８ａからノズル１２側に張り出して形成される張出部１８ｂとを備えている。張出部１８ｂは、多数の微細な連続気泡を有する多孔質体で形成された板状の摩擦低減部材１９を下端面に保持しており、圧縮空気発生装置（図示せず）から供給される圧縮空気を摩擦低減部材１９内へ導入するエア導入孔１８ｃが、押え部１８の壁部１８ａから摩擦低減部材１９に向けて張出部１８ｂ内に形成されている。エア導入孔１８ｃへ圧縮空気を導入すると、圧縮空気が摩擦低減部材１９の連続気泡を通過して噴射され、摩擦低減部材１９と被加工物Ｗとの間に空気膜（エアベアリング）が形成されるため、切断加工時にＸＹ方向に変位される被加工物Ｗを押え部１８に対してほぼ非接触で運動させることが可能となる。
【００２２】
加工台部２０は、被加工物Ｗを下方から支持すると共に、レーザ加工時に被加工物Ｗの切断部分から飛散されるドロスが吸引装置（図示せず）に吸引されるまでの通路を形成する部位であり、円筒状部２１とその円筒状部２１の上端に形成されるフランジ状部２２とを備えている。加工台部２０のフランジ状部２２の上面には、平面の支持面２２ａが形成され、この支持面２２ａが被加工物Ｗを下方から直接支持する。また、支持面２２ａの中央部分には、円形の孔である開口部２２ｂが集光レンズ（図示せず）と同軸に形成され、加工ヘッド１０のノズル１２に対向する位置に配設されている。
【００２３】
さらに、加工台部２０には、開口部２２ｂから下方へ向けて、被加工物Ｗの切断時に開口部２２ｂから飛散されるドロスやアシストガスなどが吸引装置（図示せず）に吸引されるまでの通路を形成する管状の吸引通路２３が形成されている。吸引通路２３には、被加工物Ｗの切断時に生じるドロスを受ける筒部材２４が挿設されており、筒部材２４の内側を通過してドロスは吸引装置（図示せず）に吸引される。
【００２４】
加工台支持部３０は、筒状に形成され、その内周に加工台部２０の円筒状部２１を嵌合させると共に、加工台部２０を上下移動可能に支持する装置である。加工台支持部３０と加工台部２０との間にはバネ等の弾性部材４０が配設されており、加工台部２０を加工ヘッド１０側へ付勢している。
【００２５】
以上のように構成されるレーザ加工機１により被加工物Ｗを切断加工するときには、予め、加工ヘッド１０の集光レンズ（図示せず）によってレーザ光が被加工物Ｗの表面に焦点を結ぶように焦点合わせを行う。さらに、焦点が押え部１８の下端面（本実施の形態では摩擦低減部材１９の下端面）と同一平面上に位置するように、筒部１３をヘッド本体に対して上下動させて、押え部１８の下端面の高さを調整する。
【００２６】
一方、加工台部２０についても、固定される被加工物Ｗの下面を、フランジ状部２２の支持面２２ａが押圧するような高さに予め調整しておく。このように構成されているので、被加工物Ｗを固定して加工ヘッド１０を下降させると、押え部１８の下端面（本実施の形態では摩擦低減部材１９の下端面）が被加工物Ｗを押し付け、加工台部２０が押し込まれる。これにより、被加工物Ｗは弾性部材４０によって下方から付勢された加工台部２０と押え部１８とに挟持され、押え部１８の内側に位置する被加工物Ｗは、集光レンズ（図示せず）の焦点と一致する平面に拘束される。
【００２７】
次に、図２を参照して、排出孔１６及び張出部１８ｂの詳細構成を説明する。図２は図１のＩＩで示す部分を拡大して示した連結部１５及び張出部１８ｂの部分拡大断面図である。図２に示すように、排出孔１６は、連結部１５の筒部１３から外側に張り出した部位に位置し連結部１５の上面側に形成される第１孔部１６ａと、その第１孔部１６ａに連通されつつ連結部１５の筒部１３から外側および内側に張り出した部位に位置し、連結部１５の下面側に形成される第２孔部１６ｂとを備えている。第２孔部１６ｂは、内側縁部が、第１孔部１６ａの内側縁部及び張出部１８ｂの上端の内側縁部１８ｂ１よりノズル１２側に位置するように形成されている。張出部１８ｂは、上端の内側縁部１８ｂ１から延設され、ノズル１２の外周と所定の間隔を維持しつつ下方（図１下側）に向かって下降傾斜する傾斜面１８ｂ２を備えている。
【００２８】
以上のように、排出孔１６は、ノズル１２の外周上部及び押え部１８の上端側を連結する連結部１５に形成されているので、押え部１８の構造等に制約を受けることなく排出孔１６を形成できる。特に、本実施の形態のように、摩擦低減部材１９が保持される張出部１８ｂが押え部１８に形成されるような場合は、押え部１８にエア導入孔１８ｃを設ける必要があるため、押え部１８にアシストガスを排出する排出孔１６を設けることが困難となるが、連結部１５に排出孔１６を設けることにより、排出孔１６からのアシストガスの排出量を十分に確保することができる。よって、被加工物Ｗの切断加工初期においても、安定して微細かつ高精度の切断加工を可能にできる。
【００２９】
また、以上のように排出孔１６及び張出部１８ｂが構成されているので、ノズル１２の外周近傍に第２孔部１６ｂの内側縁部を位置させることで、張出部１８ｂに遮られることなくアシストガスを第２孔部１６ｂに導き、第１孔部１６ａから排出させることができる。その結果、排出孔１６からのアシストガスの排出量を確保できる。また、張出部１８ｂをノズル１２側に張り出させて形成できるため、押え部１８の外側に張出部１８ｂを張り出させるものと比較して、押え部１８の外径を小さくすることができ、押え部１８をコンパクト化できる。
【００３０】
また、張出部１８ｂは、ノズル１２の外周と適当な間隔をあけて離間される傾斜面１８ｂ２を備えているので、ノズル１２側への張出部１８ｂの張り出し量を大きく設定しても、排出孔１６に向かうアシストガスの流路を確保することができる。さらに、ノズル１２側への張出部１８ｂの張り出し量を大きく設定することで、張出部１８ｂに幅広で面積の大きな摩擦低減部材１９を保持させることができる。その結果、摩擦低減部材１９の大きさに対応した支持面２２ａを摩擦低減部材１９に対向させることにより、これらの間で被加工物Ｗが安定に挟持されるので、被加工物Ｗが撓むことが防止され、切断加工精度を高めることができる。
【００３１】
次に、図３を参照して、連結部１５の詳細構成を説明する。図３（ａ）は連結部１５及びその連結部１５に立設される筒部１３の一部を切断して示した部分断面図であり、図３（ｂ）は連結部１５の底面図である。
【００３２】
図３（ａ）に示すように、連結部１５は、上面に筒部１３が立設されると共に筒部１３と一体に形成される環状の部位であり、上述のように第１孔部１６ａと第２孔部１６ｂとが連通する排出孔１６が形成されている。図３（ａ）及び図３（ｂ）に示すように、第２孔部１６ｂは、連結部１５の下面に環状に凹設されており、第１孔部１６ａは、各々が第２孔部１６ｂの外周縁部に沿って湾曲した長孔状に形成されると共に、第２孔部１６ｂに連通している。本実施の形態においては、連結部１５に３つの第１孔部１６ａが形成されている。このように、第２孔部１６ｂが連結部１５の下面に凹設されており、第２孔部１６ｂに連通する第１孔部１６ａを連結部１５に貫穿することで排出孔１６が形成されているので、排出孔１６を容易に形成できる。従って、連結部１５への排出孔１６の形成を容易化できる。
【００３３】
また、第２孔部１６ｂが環状に凹設されることで、第２孔部１６ｂの底面１６ｃと張出部１８ｂの上端の内側縁部１８ｂ１（図２参照）との隙間を十分確保できる。よって、張出部１８ｂに遮られることなくアシストガスの流路を確実に確保できる。
【００３４】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。例えば、上記実施の形態で挙げた数値（例えば、各構成の数量等）は一例であり、他の数値を採用することは当然可能である。
【００３５】
上記実施の形態では、加工台部２０が弾性部材４０によって上方に付勢されて、押え部１８との間で被加工物Ｗを挟持する場合について説明したが、必ずしもこれに限られるものではなく、他の形態により押え部１８と加工台部２０との間で被加工物Ｗを挟持することも当然可能である。他の態様としては、例えば、特許文献１に開示される技術のように、加工台部２０は固定されており、加工ヘッド１０の全体を上下に移動させることで押え部１８と加工台部２０との間で被加工物Ｗを挟持するものが挙げられる。
【００３６】
上記実施の形態では、押え部１８の下端面に摩擦低減部材１９としての多孔質体が保持され、エアベアリングとして機能する場合について説明したが、必ずしもこれに限られるものではなく、他の摩擦低減部材１９を用いることも当然可能である。他の摩擦低減部材１９としては、窒化ホウ素等のセラミックス製、フッ素樹脂等の合成樹脂製等の易滑性の材料が挙げられる。これらの摩擦低減部材の場合は空気膜を形成することで摩擦抵抗を低減するものではないため、張出部１８ｂにエア導入孔１８ｃを設ける必要はない。
【００３７】
また、押え部１８が摩擦低減部材１９を保持するものに限られるものではなく、押え部１８自体が窒化ホウ素等のセラミックス製やフッ素樹脂等の合成樹脂製などの易滑性の材料で形成される構成とすることも当然可能である。
【００３８】
上記実施の形態では、加工ヘッド１０の押え部１８の高さの調整がヘッド本体１０に螺挿される筒部１３によって行われる場合について説明したが、必ずしもこれに限られるものではなく、他の手段によって、押え部１８の高さの調整が行われるようにすることも当然可能である。他の手段としては、例えば、特許文献１に開示されるベローズ等が挙げられる。
【００３９】
上記実施の形態では、押え部１８には排出孔が形成されていない場合について説明したが、必ずしもこれに限られるものではなく、連結部１５に排出孔１６を形成し、それに加えて押え部１８にも排出孔を形成することも当然可能である。これにより、アシストガスの排出量をさらに大きくすることが可能となる。
【００４０】
上記実施の形態では、第２孔部１６ｂが連結部１５に環状に凹設される場合について説明したが、必ずしもこれに限られるものではなく、第２孔部１６ｂを他の形態とすることも可能である。第２孔部の他の形態としては、例えば、第１孔部１６ａから連結部１５の下面側に向かって穿孔される孔であって、隣り合う孔と連なっていないもの（第２孔部が環状に連なっているのではなく、所定の間隔をあけて形成されているもの）が挙げられる。
【００４１】
また、上記実施の形態では、第１孔部１６ａが湾曲した長孔状に形成される場合について説明したが、必ずしもこれに限られるものではなく、第１孔部１６ａを他の形態とすることも可能である。第１孔部の他の形態としては、例えば、連結部１５の外周縁に沿って所定の間隔をあけて複数形成された略円形状、略矩形状等の孔が挙げられる。第１孔部１６ａや第２孔部１６ｂがどのような形状であっても、アシストガスを第２孔部１６ｂから第１孔部１６ａに導き、押え部１８の外に排出できる。
＜その他＞
＜手段＞
技術的思想１のレーザ加工機は、被加工物へ向けてレーザ光を照射すると共にアシストガスを噴射するノズル及びそのノズルの周囲に配設され下面が前記被加工物の上面に当接可能に構成される筒状の押え部を有する加工ヘッドと、その加工ヘッドの押え部に対向して前記被加工物の下面に配設されると共に前記押え部との間で前記被加工物を挟持する加工台部とを備えるものであり、前記ノズルの外周上部および前記押え部の上端側を連結する連結部と、その連結部に形成されると共に、前記被加工物に噴射されたアシストガスを前記被加工物と前記押え部との間に形成される空間の外側に排出する排出孔とを備えている。
技術的思想２のレーザ加工機は、技術的思想１のレーザ加工機において、前記押え部は、前記被加工物との摩擦抵抗を低減する摩擦低減部材を下端面に保持すると共に、前記ノズル側に張り出して形成される張出部を備え、前記排出孔は、前記連結部の上面側に位置する第１孔部と、その第１孔部に連通されつつ前記連結部の下面側に凹設され、内側縁部が前記張出部の上端の内側縁部より前記ノズル側に形成される第２孔部とを備えている。
技術的思想３のレーザ加工機は、技術的思想２のレーザ加工機において、前記第１孔部は、前記連結部に複数個が形成され、前記第２孔部は、前記連結部に環状に凹設されている。
＜効果＞
技術的思想１のレーザ加工機によれば、排出孔は、ノズルの外周上部および押え部の上端側を連結する連結部に形成されているので、押え部の構造等に制約を受けることなく排出孔を形成できる。これにより、排出孔からのアシストガスの排出量を十分に確保することができ、被加工物の切断加工初期においても、安定して微細かつ高精度の切断加工を可能にできる効果がある。
技術的思想２記載のレーザ加工機によれば、被加工物との摩擦抵抗を低減する摩擦低減部材を下端面に保持する張出部がノズル側に張り出して形成されているので、押え部の外側に張出部を張り出させるものと比較して、押え部の外径を小さくすることができ、押え部をコンパクト化できる。さらに、排出孔は、張出部の上端の内側縁部よりノズル側に内側縁部が形成されると共に、連結部の下面側に凹設される第２孔部と、連結部の上面側に位置し第２孔部と連通して形成される第１孔部とを備えているので、ノズルの外周近傍に第２孔部の内側縁部を位置させることで、張出部に遮られることなくアシストガスを第２孔部に導き、第１孔部から排出させることができる。これにより、技術的思想１記載のレーザ加工機の奏する効果に加え、排出孔からのアシストガスの排出量を確保しつつ、押え部をコンパクト化できる効果がある。
技術的思想３記載のレーザ加工機によれば、第２孔部を連結部に環状に凹設すると共に、第２孔部に連通する第１孔部を連結部に貫穿することで、排出孔を容易に形成できる。また、第２孔部が環状に凹設されているので、張出部の上端の内側縁部との隙間を十分確保でき、アシストガスが排出される流路の断面積を確保できる。よって、技術的思想２記載のレーザ加工機の奏する効果に加え、排出孔の形成を容易化できると共に、張出部に遮られることなくアシストガスの流路を確保できる効果がある。
【符号の説明】
【００４２】
１        レーザ加工機
１０      加工ヘッド
１２      ノズル
１５      連結部
１６      排出孔
１６ａ    第１孔部（排出孔の一部）
１６ｂ    第２孔部（排出孔の一部）
１６ｃ    底面（排出孔の一部）
１８      押え部
１８ａ    壁部（押え部の一部）
１８ｂ    張出部（押え部の一部）
１８ｂ１  内側縁部（押え部の一部）
１９      摩擦低減部材
２０      加工台部
Ｗ        被加工物
【図１】
0005611609.tif 000002
【図２】
0005611609.tif 000003
【図３】
0005611609.tif 000004